(57)【要約】  【課題】複数の天板付家具を島型配置するに際し、これら天板付家具を使用するユーザ間で好適に配線ダクトを共用できるようにする。  【解決手段】天板２下に設けられて所定の機能を提供するオプション要素３を具備する天板付家具Ｄにあって、前記オプション要素３の一部を前記天板２の後端縁よりも後方に突出させ、この天板２の後端縁に他のデスクＤ’の天板２を近接ないし当接させて隣接配置したときに双方の側より前記オプション要素３を共用し得るようにした。  【選択図】図５
2006101922.tif 000002
【特許請求の範囲】
【請求項１】
天板と、天板下に設けられて所定の機能を提供するオプション要素とを具備する天板付家具であって、
前記オプション要素の一部を前記天板の所定の縁辺よりも外方に突出させてなり、
この天板の所定の縁辺に他の天板付家具を近接ないし当接させて隣接配置したときに双方の側より前記オプション要素を共用し得るようにした天板付家具。
【請求項２】
前記オプション要素の一部が前記天板の直下にある請求項１記載の天板付家具。
【請求項３】
前記オプション要素は、前記天板を下方より支持する家具本体に取り付けられるものである請求項１記載の天板付家具。
【請求項４】
前記オプション要素は、前記天板上に載置される各種機器に接続するコード類を支持ないし保持する機能を提供するものである請求項１、２または３記載の天板付家具。
【請求項５】
前記オプション要素が配線ダクトである請求項４記載の天板付家具。
【請求項６】
前記オプション要素がコード類を掛けることができるフックである請求項４記載の天板付家具。
【請求項７】
前記天板における所定の縁辺の近傍部位に、天板上と天板下とを連通する配線口を形成している請求項３、４、５または６記載の天板付家具。
【請求項８】
前記天板における所定の縁辺の一部を切り欠くことにより前記配線口を形成している請求項７記載の天板付家具。
【発明の詳細な説明】
【技術分野】
【０００１】
本発明は、デスクに代表される天板付家具に関する。
【背景技術】
【０００２】
オフィスのＯＡ化、ＩＴ化に伴い、オフィスワークにパーソナルコンピュータやその他の情報通信機器を使用することが普遍的となった。近時のオフィス向けのデスクには、それらの機器に接続するコード類（給電コード、通信ケーブル等）を好適に配線するための機能が付帯していることが多い。例えば、下記特許文献には、コード類を保持し得る配線ダクトを後面に取り付けたデスクが開示されている。このような配線ダクトは通常、天板の直下に位置づけられる。
【特許文献１】特開２００１−１８６９３２号公報
【発明の開示】
【発明が解決しようとする課題】
【０００３】
ところで、オフィス等では、複数のデスクをいわゆる島型配置によって集合させていることが多い。島型配置では、少なくとも二基のデスクの天板の後端縁同士を突き合わせた状態に配置するが、これらデスクの各々に個別の配線ダクトを設置するということになると、その分だけコスト増を招く面は否定できない。現実には、デスクと同数の配線ダクトを設置しなければならないほど配線すべきコード類が多量ではない状況も想定される。昨今では、無線ＬＡＮ等の無線通信技術の普及により、有線の通信ケーブルが必ずしも必須でなくなってきていることも確かである。
【０００４】
以上の観点に初めて着目してなされた本発明は、複数の天板付家具を島型配置するに際し、これら天板付家具を使用するユーザ間で好適に配線ダクトを共用できるようにすることを目的としている。
【課題を解決するための手段】
【０００５】
上述した課題を解決するべく、天板と、天板下に設けられて所定の機能を提供するオプション要素とを具備する天板付家具であって、前記オプション要素の一部を前記天板の所定の縁辺よりも外方に突出させて、この天板の所定の縁辺に他の天板付家具（の天板）を近接ないし当接させて隣接配置したときに双方の側より前記オプション要素を共用し得るように構成した。このようなものであれば、各デスクを使用するユーザ間で好適にオプション要素を共用でき、しかも、二基の天板付家具の双方に個別のオプション要素を設けておく必要性から解放され、設けるべきオプション要素の数を削減でき、ひいてはコストの低減を図ることが可能となる。ここで、オプション要素が提供する所定の機能とは、天板を支持する以外の機能一般（特に、天板以外の何らかの物を支持ないし保持する機能）を言う。
【０００６】
より具体的には、前記オプション要素の基端方を前記天板の直下に配置しつつ、先端方を天板の所定の縁辺よりも外方に突出させておく。そして、この天板付家具に他の天板付家具を隣接配置したときに、オプション要素の先端方が他の天板付家具の天板下に位置づけられるものとする。
【０００７】
好ましくは、前記オプション要素を、前記天板を下方より支持する家具本体に取り付けておく。上記の構成により、天板自体にオプション要素を設けるための特段の加工を施すことが不要となる。
【０００８】
オプション要素の具体例としては、天板上に載置される各種機器に接続するコード類を支持ないし保持する機能を提供するもの、即ち配線ダクトや、コード類を掛けることができるフック等を挙げることができる。
【０００９】
さらに、前記天板における所定の縁辺の近傍部位に、天板上と天板下とを連通する配線口を形成していることにより、前記オプション要素の機能を十分に活かすことができるものとなる。配線口は、例えば、前記天板における所定の縁辺の一部を切り欠くことにより形成する。
【発明の効果】
【００１０】
本発明によれば、複数の天板付家具を島型配置するに際し、これら天板付家具を使用するユーザ間で好適に配線ダクトを共用できる。
【発明を実施するための最良の形態】
【００１１】
以下、本発明の一実施形態を、図面を参照して説明する。なお、説明中、天板付家具たるデスクＤを使用するユーザが着座する使用端側を前方、反使用端側を後方と定義している。
【００１２】
本実施形態の天板付家具たるデスクＤ（または、袖机）を、図１に示す。このデスクＤは、オフィス等において用いられるものであって、天板２と、天板２を下方より支持する家具本体１とを少なくとも具備する。
【００１３】
家具本体１は、一方側にあって天板２を支持する脚側板１１と、他方側にあって天板２を支持する袖構造体１２と、後方にあって下肢空間を隠蔽する幕板１３とを主要な構成要素とする。
【００１４】
袖構造体１２は、天板２に一体的に結合した筐体１２１を主体とする。筐体１２１は、一または複数の抽斗１２２を収容し得る内部空間を内包する。筐体１２１の前面は開口し、内部空間と外部とを連通しているが、側方及び後方からは遮蔽している。抽斗１２２は、鏡板の後背に収納空間を包囲する底壁、側壁及び後壁を配設したもので、筐体１２１内に押し入れればその鏡板のみが正面に現れる状態となり、筐体１２１より引き出せば上方に開放した収納空間を露出させることができる。但し、家具本体１がこのような袖構造体１２を備えているとは限られず、両側に脚側板１１を配して天板２を支持するものとしても構わない。
【００１５】
幕板１３は、脚側板１１及び袖構造体１２の対向面間に固定してあるもので、その上端面を天板２下面よりも低い位置に設定して天板２と幕板１３との間に間隙を設けている。この間隙を利用すれば、天板２上に載置される各種の機器に接続するコード類を（後述する天板２の可撓部２２を介して）下肢空間に導き入れることが可能である。
【００１６】
脚側板１１の後面、袖構造体１２の後面及び幕板１３の後面は概ね面一となっており、家具本体１の後縁を規定している。因みに、本実施形態では、家具本体１の一部をなす袖構造体１２の筐体１２１の後面に一または複数のスロット穴１２３を穿っている。スロット穴１２３は、例えば、背面視幅方向に拡張する方形状をなす長穴である。電話台やメモ台、タスクライト等を支持する既知のクランプ装置（図示せず）を取り付ける際には、クランプ装置の爪の一方をこのスロット穴１２３に挿入し、他方を天板２面に設置して、両方の爪で挟みつければよい。勿論、天板２と幕板１３との間の間隙を利用して、クランプ装置を取り付けることも可能である。
【００１７】
天板２は、平面視略矩形状の外形をなしており、その後端を家具本体１の後縁よりも後方に突き出させてある。本実施形態では、この天板２の後端縁に、当接部２１と、可撓部２２とを設けている。
【００１８】
当接部２１は、他のデスク等の家具、パーティション等の什器または部屋の壁面に当接させ得る剛性を有する部位である。図示例では、天板本体２３の後端の一部を幅方向に沿って切り欠き、この切り欠いた部位に隣接している部位、即ち切り欠いていない部位を当接部２１としている。つまり、天板本体２３と当接部２１とは一体的に連続しているが、両者を別個の部材とすることを妨げない。当接部２１は、天板２における両側端部に設けており、かつ天板２の幅方向の中心軸Ｃに対称に配置してある。当接部２１の上面は、天板本体２３の上面と略面一とする。
【００１９】
可撓部２２は、当接部２１に隣接し、可撓性を有する部位である。図示例では、天板本体２３の後端の切り欠いた部位に、撓み変形容易な軟質樹脂を用いて作製した遮蔽部材を装着して可撓部２２を構成している。可撓部２２の具体的態様を、図２に示す。遮蔽部材２２は、天板２の幅方向に沿って延伸する側断面視中空な射出成形品で、例えば前方部位に比較的硬い樹脂を用い、その他の部位に比較的軟らかい樹脂を用いて二色成形してなる。遮蔽部材２２の前方部位には、互いに相寄るように上下に突出する突条２２１を形成してある。翻って、天板本体２３の後端を切り欠いた部位の後向面には、遮蔽部材２２を装着するためのブラケット２４を、ボルト等を使用して予め固定しておく。そして、遮蔽部材２２に形成した突条２２１をブラケット２４の上下端に係合させるようにして、遮蔽部材２２をブラケット２４に嵌め込み装着する。撓み変形していない状態で、可撓部２２の上面即ち遮蔽部材の上面は、天板本体２３の上面と略面一となる。なお、遮蔽部材２２の上面は平滑面であるとは限られない。図示例では、遮蔽部材２２の上面に凹溝２２２が彫られている。遮蔽部材２２の下面は水平方向に対して傾斜しており、遮蔽部材２２の外形の厚みは後方に向かうにつれて徐々に薄くなる。これにより、上から押された場合に遮蔽部材２２がスムーズに下方に撓み変形する。
【００２０】
なお、当接部２１の後縁と可撓部２２の後縁とは略一直線上に連続して天板２の後端縁を形作っている。
【００２１】
このデスクＤは、天板２の後端縁にある当接部２１を他のデスク等の家具、パーティション等の什器、または部屋の壁面に突き当てた状態に配置することで可撓部２２に覆われた配線口を簡便に構築できるという特長を有する。とりわけ、図３に示すように、同種のデスクＤ、Ｄ’の天板２の後端縁同士を突き合わせた状態に配置すれば、周縁の閉じた配線口を天板２面に現出させることができる。天板本体２３、当接部２１及び可撓部２２の各々の上面は略面一であり、総体として広大な作業領域を提供し得る。従って、天板２の奥行寸法を多少短めに設定したとしても十分な作業領域が担保され、ユーザの使い勝手は損なわれない。また、天板２の後端縁が家具本体１の後縁よりも後方に突き出ていることから、可撓部２２を介して天板２下に落とし込んだコード類を家具本体１の背後にある空間に配線することも可能である。このときには、着座して作業を行うユーザの下肢と配線したコード類とが干渉し合うことを回避することができる。
【００２２】
しかして、本実施形態では、所定の機能を提供するオプション要素３、５をデスクＤの天板２下に設け、そのオプション要素３、５の先端方を天板２の後端縁よりも後方に突出させるようにしている。
【００２３】
例えば、図４、図５に示すように、オプション要素としてコード類を支持ないし保持し得るような配線ダクト３を家具本体１の後面に取り付ける。配線ダクト３は、側面視上方に開放している略チャネル状をなす部材で、幅方向に沿って延伸している。図示例では、複数個の支持具４を介して配線ダクト３３を幕板１３に支持させている。支持具４は、配線ダクト３を下方より支持する水平片４１と、水平片４１の前端より上方に延伸する直立片４２と、直立片４２の上端より前方に突出し側面視逆Ｌ字型をなす引掛片４３とを備えており、引掛片４３を幕板１３の上端に掛け止めることでこの幕板１３に装着できる。そして、水平片４１上に配線ダクト３の底板を載置してこれを固定すれば、配線ダクト３を幕板１３に支持させることができる。図示例では、水平片４１の上面に設けた爪４１１を予め配線ダクト３の底板に形成した係合孔（図示せず）に嵌め入れて両者を固定している。但し、オプション要素の家具本体１への取り付けの態様は上述したものには限られない。オプション要素を、家具本体１の後面にボルト等を使用して着脱可能に取り付けてもよく、あるいは溶接等により固定してもよい。
【００２４】
既に述べたように、デスクＤの天板２の後端は家具本体１の後縁よりも後方に突出している。従って、家具本体１の後背に取り付けた配線ダクト３の基端方はデスクＤの天板２の直下にある。図３、図５等に示すように、このデスクＤの天板２の後端縁に他のデスクＤ’の天板の後端縁を突き合わせて隣接配置したとき、配線ダクト３の先端方が相手方のデスクＤ’の天板２下かつ家具本体１の後面近傍に位置づけられる。これらデスクＤ、Ｄ’はそれぞれ可撓部２２で被覆された配線口を天板２の後端に有していることから、一方のデスクＤに取り付けた配線ダクト３をこのデスクＤ側から利用できるだけでなく、相手方のデスクＤ’からも利用可能となる。
【００２５】
オプション要素の他の例として、図６に示すように、コード類を掛けることができるようなフック５を設けることも考えられる。このときにも、フック５の基端方はデスクＤの天板２の直下にある。そして、デスクＤに他のデスクＤ’を隣接配置したときに、フック５の先端方が相手方のデスクＤ’の天板２下かつ家具本体１の後面近傍に位置づけられる。なお、図５等に示す例では一方のデスクＤにのみオプション要素（配線ダクト３）を取り付けていたが、図６に示しているように双方のデスクＤ、Ｄ’にそれぞれオプション要素（フック５）を取り付けるようにしても構わない。この例では、デスクＤ、Ｄ’の各々に取り付けられるオプション要素たるフック５の位置を高さ方向に偏倚させてこれらが干渉し合うことを回避しているが、両者を幅方向に偏倚させることにより干渉を避けるようにしても構わない。
【００２６】
本実施形態によれば、天板２と、天板２下に設けられて所定の機能を提供するオプション要素３、５とを具備する天板付家具たるデスクＤにあって、前記オプション要素３、５の一部を前記天板２の所定の縁辺即ち後端縁よりも外方即ち後方に突出させ、この天板２の後端縁に他のデスクＤ’の天板２を近接ないし当接させて隣接配置したときに双方の側より前記オプション要素３、５を共用し得るようにしたため、各デスクを使用するユーザ間で好適にオプション要素３、５を共用できる。しかも、二基のデスクＤ、Ｄ’の双方に個別のオプション要素３、５を設けておく必要性から解放され、設けるべきオプション要素３、５の数を削減でき、ひいてはコストの低減を図ることが可能となる。
【００２７】
前記オプション要素３、５の基端方を前記天板２の直下に配置しつつ、先端方を天板２の後端縁よりも後方に突出させておくことで、二基のデスクＤ、Ｄ’を隣接配置した場合にオプション要素３、５の先端方が相手方のデスクＤ’の天板２下に位置づけられ、自然にオプション要素３、５を共用可能な状態となる。
【００２８】
前記オプション要素３、５を、前記天板２を下方より支持する家具本体１に取り付けているため、天板２自体にオプション要素３、５を設けるための特段の加工を施すことが不要である。
【００２９】
前記天板２における後端縁近傍の部位に、天板２上と天板２下とを連通する（可撓部２２で被覆された）配線口を形成していることにより、コード類を支持ないし保持する機能を有するオプション要素３、５の機能を十分に活かすことができる。
【００３０】
なお、本発明は以上に詳述した実施形態に限られるものではない。特に、オプション要素３、５を、家具本体１の後面以外の部位に設けることが考えられる。例えば、家具本体１の左側面及び／または右側面にオプション要素３、５を設けることができる。このときには、オプション要素３、５の先端方を、天板２の側端縁よりも外側方に突出させておくこととなる。
【００３１】
また、図７、図８に示すように、天板２の後端縁に可撓部２２を設けるのではなく、天板２を上下に貫いている孔部２５を設けることによって配線口を形成しても構わない。
【００３２】
その他各部の具体的構成は上記実施形態に限られるものではなく、本発明の趣旨を逸脱しない範囲で種々変形が可能である。
【図面の簡単な説明】
【００３３】
【図１】本発明の一実施形態における天板付家具を示す斜視図。
【図２】同実施形態における天板を示す要部側断面図。
【図３】同実施形態の天板付家具の使用例を示す斜視図。
【図４】オプション要素の家具本体への取付構造を示す分解斜視図。
【図５】同要部側断面図。
【図６】本発明の変形例の一を示す要部側断面図。
【図７】本発明の変形例の一を示す分解斜視図。
【図８】同要部側断面図。
【符号の説明】
【００３４】
Ｄ、Ｄ’…天板付家具（デスク）
１…家具本体
２…天板
３、５…オプション要素（配線ダクト、フック）
【図１】
2006101922.tif 000003
【図２】
2006101922.tif 000004
【図３】
2006101922.tif 000005
【図４】
2006101922.tif 000006
【図５】
2006101922.tif 000007
【図６】
2006101922.tif 000008
【図７】
2006101922.tif 000009
【図８】
2006101922.tif 000010